(57)【要約】【課題】  罫線に対して英文字や図形を一定の傾斜角度で容易に筆記することができる筆記用紙を提供する。【解決手段】  複数本の罫線２を平行に設けられた筆記用紙１は、罫線２に対して３０度乃至８０度の角度に傾斜させた線状のドット３を罫線２に少なくとも一部が交叉するように設ける。傾斜させた英文字、或いは、斜視図のような図形を筆記するときは、ドット３の傾斜角度に倣って筆記すると、一定の角度に傾斜角度の文字となる。斜視図は、ドット３の傾斜角度に倣った線と、交点を結ぶことにより罫線２に対して垂直な線により筆記する。【選択図】  図１
0003149179.tif 000002
【実用新案登録請求の範囲】
【請求項１】
複数本の罫線を平行に設けられた筆記用紙であって、上記罫線に対して３０度乃至８０度の角度に傾斜させた線状のドットを上記罫線に少なくとも一部を交叉させて等間隔に設けたことを特徴とする筆記用紙。
【請求項２】
各罫線に設けた線状の各ドットは、延長線が３０度乃至８０度の角度に傾斜させた直線上に配置すると共に、上記ドットと上記罫線との交点と一つ置きの上記罫線の交点とを結ぶ直線状の仮想線が、上記罫線に対して直角になるように配置させた請求項１に記載の筆記用紙。
【考案の詳細な説明】
【技術分野】
【０００１】
本考案は、傾斜した英文字や斜視図を筆記するための筆記用紙に関し、詳しくは、傾斜角度を一定に筆記するために罫線に傾斜した線状のドットを設けた筆記用紙に関する。
【背景技術】
【０００２】
一般に、ノートやレポートパッド等に用いられる筆記用紙には、複数本に罫線が設けられている。この筆記用紙に文字や図形を筆記する場合、縦横が美しく並び、読み書きを容易にするためには、縦横の目盛を設けることが必要である。このために、罫線に対して垂直な線を設けた方眼紙も存在するが、通常の文字を筆記する場合には目盛が邪魔になることがあった。この問題点を解決するために、実用新案登録第３０２２１８８号（特許文献１）に示すように、各罫線を文字の大きさに合う長さで区切り、その位置をとぎれ目盛とする線引きノートが提案されている。
【０００３】
【特許文献１】実用新案登録第３０２２１８８号公報
【考案の開示】
【考案が解決しようとする課題】
【０００４】
このように、従来一般に市販もしくは提案されているノートやレポートパッド等の筆記用紙は、罫線に対して垂直な矩形状の文字や図形を筆記することを目的としている。ところが、英文字は一般に罫線に対して傾斜させて筆記しているが、横線の罫線のみでは傾斜角度が一定にならず、美しい筆記体の英文字が筆記できない。また、斜視図をメモする場合にも、傾斜した線が等角度にならず、傾斜線が平行なのか不平行なのか、メモをみたとき判別できない問題があった。
【０００５】
本考案が解決しようとする課題は、罫線に対して英文字や図形を一定の傾斜角度で容易に筆記することができる筆記用紙を提供することにある。
【課題を解決するための手段】
【０００６】
そこで、本考案の請求項１に関わる筆記用紙は、複数本の罫線を平行に設けられた筆記用紙であって、上記罫線に対して３０度乃至８０度の角度に傾斜させた線状のドットを上記罫線に少なくとも一部が交叉するように設けたことを要旨としている。
【０００７】
また、請求項２に関わる筆記用紙は、請求項１の考案において、各罫線に設けた線状の各ドットは、延長線が３０度乃至８０度の角度に傾斜させた直線上に配置すると共に、上記ドットと上記罫線との交点と一つ置きの上記罫線の交点とを結ぶ直線状の仮想線が、上記罫線に対して直角になるように配置させることを要旨としている。
【考案の効果】
【０００８】
本考案によれば、罫線に対して３０度乃至８０度の角度に傾斜させた線状のドットを罫線に少なくとも一部を交叉させて等間隔に設けているので、英文字を筆記するとき、傾斜させたドットに倣うことにより、英文字が一定の傾斜角度で筆記されるので、美しく筆記することができる。また、文字間隔もドットの間に筆記することにより一定となり、読み易くすることができる。さらに、英語を習い始めた児童等が英文字の筆記を習得するとときに、傾斜させたドットに倣わせて繰り返し筆記することにより、安定した美しい英文字を短期間に習得させることが可能となる。
【０００９】
また、罫線に設けた線状の各ドットを延長させた線が罫線に対して傾斜させた直線上に配置され、しかも、ドットと罫線との交点と一つ置きの罫線の交点とを結ぶ直線状の仮想線が、罫線に対して直角になるように配置しているので、交点とを結ぶことにより罫線に対して垂直な線も容易に筆記することができ、例えば図形をメモする場合には、ドットを結ぶ傾斜した線と、交点とを結ぶ垂直な線を容易に筆記することが可能となる。従って、傾斜線が平行な美しい図形メモを容易に筆記することができる。
【考案を実施するための最良の形態】
【００１０】
筆記用紙は、複数本の罫線が平行に設けられ、上記罫線に対して３０度乃至８０度の角度に傾斜させた線状のドットが、上記罫線に少なくとも一部を交叉させて等間隔に設けられている。さらに、各罫線に設けた線状の各ドットは、延長線が３０度乃至８０度の角度に傾斜させた直線上に配置されている。そして、上記ドットと上記罫線との交点と一つ置きの上記罫線の交点とを結ぶ直線状の仮想線が、上記罫線に対して直角になるように配置さている。
【００１１】
以下、図面に基づいて本考案の実施例を詳細に説明する。図１は、本考案に関わる筆記用紙の実施例を示している。筆記用紙１は、一般の筆記用紙と同様に、紙からなる用紙に５ｍｍ乃至１５ｍｍ程度の平行な横線からなる複数本の罫線２が印刷により設けられている。さらに、罫線２には、罫線２に対して６０度の角度に傾斜させた直線状のドット３が５ｍｍ乃至１５ｍｍ程度の等間隔で罫線２と同時に印刷により設けられている。このドット３の長さは、１ｍｍ乃至８ｍｍ程度に設定され、上下の罫線２に設けられたドット３とは離間させている。
【００１２】
また、各ドット３は、図示のように、ドット３の中央部が罫線２と交叉するように設けられている。このドット３と罫線２との交叉位置は、例えば、ドット３の下端部が罫線２に接するように交叉させても良く、適宜に設定することができる。
【００１３】
さらに、各罫線２に設けた線状の各ドット３は、ドット３を延長させた仮想の延長線Ｌ１が６０度の角度に傾斜させた直線上に配置している。また、ドット３と罫線２との交点３ａと、一つ置きの罫線２の交点３ａとを結んだときに仮想線が、罫線２に対して直角な直線になるように配置されている。
【００１４】
このような罫線２およびドット３を設けた筆記用紙１は、所定枚数の用紙の一端を綴じることにより、ノートやレポートパッド、或いはメモ用紙に形成することができる。
【００１５】
次に、本考案からなる筆記用紙１の使用方法とその効果について説明する。
筆記用紙１は、図２に示すように、英小文字４、英大文字５、或いは、フリーハンドの斜視図６、定規を用いて筆記した斜視図７等を筆記することができる。英小文字４として活字体４ａを筆記する場合には、隣接するドット３の間に筆記するが、傾斜角度はドット３の線に合わせるように筆記する。また、筆記体４ｂを筆記する場合にも、１文字を隣接するドット３の間に筆記すると共に、傾斜角度をドット３の傾斜線に合わせるように筆記する。さらに、英大文字５を筆記する場合にも、同様に、隣接するドット３の間に傾斜角度をドット３の傾斜線に合わせて筆記する。また、筆記用紙１に筆記する文字は、英字に限らず、図２に示すように、日本語の文字８も同様に筆記することができる。
【００１６】
一方、本考案からなる筆記用紙１には、斜視図も筆記することができる。まず、フリーハンドの斜視図６を筆記する場合、傾斜した線を筆記するときは、ドット３を連結するように線を引く。また、平行の傾斜線を引くときも、所定のドット３を連結させることにより筆記すれば良い。さらに、罫線２に対して垂直な線を筆記する場合は、ドット３と罫線２との交点３ａと、一つ置きの罫線２の交点３ａとを結ぶように線を筆記すれば良い。また、定規を用いて斜視図７を筆記する場合にも、上述したフリーハンドの斜視図６を筆記する場合と同様に筆記すれば良い。
【００１７】
図３は、本考案からなる筆記用紙１において、罫線２に対して４５度の角度に傾斜させた直線状のドット３を等間隔で設けた例を示している。この例においては、文字や図形を４５度の角度に傾斜させて筆記することができる。
【００１８】
さらに、図４は、本考案からなる筆記用紙１において、ドット３と罫線２との交点３ａを罫線２に垂直な仮想線Ｌ３に一致させた例を示している。この例は、英文字を筆記する場合に適しているが、斜視図を筆記する場合には、傾斜した線状のドット３が、罫線２に対して傾斜させた直線状に一致しないので、筆記し難いことがある。
【００１９】
以上、本考案を実施例に基づき具体的に説明したが、本考案は上記実施例に限定されるものではなく、その要旨を逸脱しない範囲で種々変形可能であることは言うまでもない。前述した実施例において、罫線を横線としたが、縦線に変更しても良い。また、ドットの傾斜角度は、罫線に対して３０度乃至８０度の適宜の角度に傾斜させることができる。
【産業上の利用可能性】
【００２０】
本考案は、英字や斜視図を筆記するノートやレポートパッド、或いはメモ用紙に適用可能である。
【図面の簡単な説明】
【００２１】
【図１】本考案に関わる筆記用紙の実施例を示す平面図である。
【図２】図１における筆記用紙に各種の文字や図形を筆記した例を示す要部平面図である。
【図３】本考案に関わる筆記用紙の他の実施例を示す一部平面図である。
【図４】本考案に関わる筆記用紙のさらに他の実施例を示す一部平面図である。
【符号の説明】
【００２２】
１      筆記用紙
２      罫線
３      ドット
３ａ    交点
４      英小文字
５      英大文字
６      フリーハンドの斜視図
７      定規を用いて筆記した斜視図
【図１】
0003149179.tif 000003
【図２】
0003149179.tif 000004
【図３】
0003149179.tif 000005
【図４】
0003149179.tif 000006